【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
ユーザにリマインダを提供するためのシステムであって、当該システムは：
リマインドすべき前記ユーザのタスクに関連するリマインダ情報を格納するように構成されるリマインダデータストアと；
前記リマインダ情報に基づいて、前記リマインダが予定される時間を決定するように構成されるリマインダプロセッサと；
前記ユーザの位置に関連する情報を取得するように構成されるロケーティング機構と；
複数のリマインダデバイスを通してリマインダアラートを出力するように構成される出力機構と；
個々のリマインダデバイスにランキングスコアを割り当てるように構成されるランキングプロセッサであって、前記ランキングスコアは、所与のリマインダデバイスを通して提供されるリマインダアラートの予想される影響に関連する、ランキングプロセッサと、
を具備し、
前記ランキングプロセッサは、前記リマインダが予定される前記時間の前記個々のリマインダデバイスの現在のアクティビティレベルを示す情報を取得するように構成され、前記現在のアクティビティレベルは、前記所与のリマインダデバイスが、第１の現在の動作を実行することに応答して第１ランキングスコアを有し、第２の現在の動作を実行することに応答して第２ランキングスコアを有するように、前記個々のリマインダデバイスによって実行される動作を示し；
前記リマインダプロセッサは、前記リマインダが予定される前記時間の前記ユーザの位置に関連する情報を前記ロケーティング機構から取得し、かつ、前記個々のリマインダデバイスの既知の位置と、前記リマインダの前記時間に前記個々のリマインダデバイスによって実行される前記動作とに基づき、前記ランキングスコアを考慮して、前記複数のリマインダデバイスのうち前記ユーザの位置に近接するリマインダデバイスを選択することによって、前記ユーザに対して最も高い影響を与えることになるリマインダデバイスを特定するように構成され、
前記出力機構は、前記特定されたリマインダデバイスを通してリマインダアラートを出力するように構成される、
システム。
【請求項２】
前記ランキングスコアは、個々のリマインダデバイスのディスプレイ能力及び／又はオーディオ能力に更に関連する、
請求項１に記載のシステム。
【請求項３】
前記ランキングスコアは、個々のリマインダデバイスの前記ディスプレイ能力に関連し、前記所与のリマインダデバイスはディスプレイを含み、前記ディスプレイ能力は：
前記ディスプレイの視野角；及び／又は
前記ディスプレイのサイズ；及び／又は
前記ディスプレイの解像度
を含む、請求項２に記載のシステム。
【請求項４】
前記ランキングスコアは、ユーザの好適なリマインダデバイス又はリマインダデバイスの好適なタイプに関するユーザプリファレンスに関連する、
請求項１乃至３のいずれか一項に記載のシステム。
【請求項５】
リマインダアラートのユーザ確認応答を受け取るように構成される確認応答受信機構を更に備え、
ユーザ確認応答を受け取ったことに応答して、前記出力機構は、前記特定されたリマインダデバイスを通して前記リマインダアラートを出力することを停止するように構成される、
請求項１乃至４のいずれか一項に記載のシステム。
【請求項６】
前記選択されたリマインダデバイスを通して前記リマインダアラートを出力した後、所定の時間内にユーザ確認応答を受け取らなかったことに応答して、前記リマインダプロセッサは、前記複数のリマインダデバイスのうち、前記ユーザの位置に近接する異なるリマインダデバイスを選択するように構成され、前記出力機構は、前記選択された異なるリマインダデバイスを通してリマインダアラートを出力するように構成される、
請求項５に記載のシステム。
【請求項７】
前記リマインダプロセッサ及び前記出力機構は、ユーザ確認応答を受け取るか、選択すべき更なるリマインダデバイスがなくなるまで、前記複数のリマインダデバイスのうち、前記ユーザの位置に近接する異なるリマインダデバイスを通して、リマインダアラートを繰り返し出力するように構成される、
請求項６に記載のシステム。
【請求項８】
前記リマインダプロセッサは、前記複数のリマインダデバイスのうち、以前に選択されたリマインダデバイスと異なるディスプレイ能力及び／又はオーディオ能力を有するものを選択することにより、前記異なるリマインダデバイスを選択するように構成されるか、あるいは
前記リマインダプロセッサは、ランキングスコアに基づいて次に高くランク付けされたリマインダデバイスを選択することにより、前記異なるリマインダデバイスを選択するように構成される、
請求項６又は７に記載のシステム。
【請求項９】
前記特定されたリマインダデバイスによるリマインダアラートの出力に応答して、ユーザ確認応答を受け取るためにかかる時間に関連する情報を格納するように構成されるデバイス情報データストアを更に備え、
各リマインダデバイスに割り当てられる前記ランキングスコアは、前記リマインダデバイスによるリマインダアラートの出力の有効性に関連し、リマインダアラートのユーザ確認応答を受け取るためにかかる時間がより少ないリマインダアラートが、より有効である、
請求項５乃至８のいずれか一項に記載のシステム。
【請求項１０】
前記ユーザの前記位置は、前記ユーザの位置を経時的にモニタリングし、前記ユーザがとることになるルートを予測し、前記リマインダが予定される前記時間における前記ユーザの期待位置を前記予測されるルートから取得することによって得られる、期待位置である、
請求項１乃至９のいずれか一項に記載のシステム。
【請求項１１】
前記ロケーティング機構は、前記ユーザによって携行される位置センサから前記ユーザの位置についての情報を受け取るように構成される、
請求項１乃至１０のいずれか一項に記載のシステム。
【請求項１２】
前記リマインダプロセッサと通信するように構成される投薬ディスペンサを更に備え、前記投薬ディスペンサは、前記リマインダプロセッサからリマインダキャンセル信号を受け取らない限り、前記リマインダが予定される前記時間にリマインダアラートを発行するように構成され、
前記リマインダプロセッサは、前記ユーザの前記位置が前記投薬ディスペンサの既知の位置に近接していないことに応答して、前記リマインダキャンセル信号を前記投薬ディスペンサに送信するように構成される、
請求項１乃至１１のいずれか一項に記載のシステム。
【請求項１３】
ユーザにリマインダを提供するための方法であって、当該方法は：
リマインドすべき前記ユーザのタスクに関連するリマインダ情報にアクセスするステップと；
前記リマインダ情報に基づいて、前記リマインダが予定される時間を決定するステップと；
前記リマインダが予定される前記時間の前記ユーザの位置に関連する情報を取得するステップと；
複数のリマインダデバイスの各々にランキングスコアを割り当てるステップであって、前記ランキングスコアは、リマインダデバイスを通して提供されるリマインダアラートの予想される影響に関連し、前記ランキングスコアは、前記リマインダが予定される前記時間について個々のリマインダデバイスの現在のアクティビティレベルを示し、前記現在のアクティビティレベルは、所与のリマインダデバイスが、第１の現在の動作を実行することに応答して第１ランキングスコアを有し、第２の現在の動作を実行することに応答して第２ランキングスコアを有するように、前記個々のリマインダデバイスによって実行される動作を示す、ステップと；
前記リマインダデバイスの既知の位置と、前記リマインダの前記時間に前記個々のリマインダデバイスによって実行される前記動作とに基づき、前記ランキングスコアを考慮して、前記複数のリマインダデバイスのうち前記ユーザの位置に近接するリマインダデバイスを選択することによって、前記ユーザに対して最も高い影響を与えることになるリマインダデバイスを特定するステップと；
前記特定されたリマインダデバイスを通してリマインダアラートを出力するステップと；
を備える、方法。
【請求項１４】
プロセッサによって実行されると、請求項１３に記載の方法を実行するコンピュータプログラムを格納するように構成される、物理的な非一時的電子コンピュータ読取可能記憶媒体。